(57)【要約】      （修正有）【課題】容易にロールペーパーの端部をつかんで、楽に引き出して使用することができるロールペーパーホルダーを提供する。【解決手段】ロールペーパーを回転可能に支持するロールペーパーホルダー本体３と、このロールペーパーホルダー本体の上部に形成された支持台５あるいはロールペーパーホルダー本体に設けられたロールペーパー押え９のロールペーパーを切断した端部が、ロールペーパーの中心位置より下方に位置するところで切断することができる位置に取付けられたペーパー切断刃１１とからなる。【選択図】図３
0003171749.tif 000002
【実用新案登録請求の範囲】
【請求項１】
ロールペーパーを回転可能に支持するロールペーパーホルダー本体と、このロールペーパーホルダー本体に形成された支持台あるいはロールペーパーホルダー本体に設けられたロールペーパー押えに取付けられた、前記ロールペーパーを切断した端部が、該ロールペーパーの中心位置より下方に位置するところで切断することができるペーパー切断刃とからなることを特徴とするロールペーパーホルダー。
【請求項２】
ペーパー切断刃はロールペーパーホルダー本体の支持台の底面、上面のいずれか、あるいはロールペーパーホルダー本体に設けられたロールペーパー押えの上面に着脱可能に取付けられていることを特徴とする請求項１記載のロールペーパーホルダー。
【考案の詳細な説明】
【技術分野】
【０００１】
本考案は主にトイレットペーパーを適当な長さまで引き出して、カットして使用することができるロールペーパーホルダーに関する。
【背景技術】
【０００２】
従来、この種のロールペーパーホルダーはロールペーパーを回転可能に支持するロールペーパーホルダー本体にロールペーパーを押えるとともに、先端部でロールペーパーを切断することができるロールペーパー押えを設けたり、ロールペーパー押えの先端部より上方で、ロールペーパーを切断することができるロールペーパー切断部を備えたものが考えられている。
【０００３】
しかしながら、前者のロールペーパー押えは、ロールペーパーを切断した後はロールペーパー押えの先端部に押えられた状態で、ロールペーパーの切断部位が位置するので、ロールペーパー押えを上方へ回動させてロールペーパーの端部を持って引き出さなければならないという欠点があった。
【０００４】
また、後者はロールペーパー押えの前方でロールペーパーが切断され、ロールペーパーの切断部がロールペーパー押えの先端部より、前方に位置させることができるが、切断端部のロールペーパーがロールペーパーと接触状態となるため、ロールペーパーの先端部をつかむのが難しく、容易にロールペーパーを引き出すことができずらいという欠点があった。
【先行技術文献】
【特許文献】
【０００５】
【特許文献１】特開２００３−２４２４１号公報
【考案の概要】
【考案が解決しようとする課題】
【０００６】
本考案は以上のような従来の欠点に鑑み、ロールペーパーを切断すると、切断端部のロールペーパーが垂れ下がり、ロールペーパーの中心位置より下方に位置して、次に使用する時に容易にロールペーパーの端部をつかんで、楽に引き出して使用することができるロールペーパーホルダーを提供することを目的としている。
【０００７】
また、本考案は現在使用中のロールペーパーホルダーにも容易に取付けて、本考案を施すことができるロールペーパーホルダーを提供することも、本考案の他の目的としている。
【０００８】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００９】
上記目的を達成するために、本考案はロールペーパーを回転可能に支持するロールペーパーホルダー本体と、このロールペーパーホルダー本体に形成された支持台あるいはロールペーパーホルダー本体に設けられたロールペーパー押えに取付けられた、前記ロールペーパーを切断した端部が、該ロールペーパーの中心位置より下方に位置するところで切断することができるペーパー切断刃とでロールペーパーホルダーを構成している。
【考案の効果】
【００１０】
以上の説明から明らかなように、本考案にあっては次に列挙する効果が得られる。
（１）請求項１により、ロールペーパーホルダー本体に回転可能に支持されているロールペーパーをペーパー切断刃で切断することにより、ロールペーパーの端部をロールペーパーの中心位置より下方へ垂れて位置させることができる。
したがって、従来のようにロールペーパーの切断端部がロールペーパーに接触した状態となり、つかむのが難しくなることなく、容易につかんで引き出して使用することができる。
（２）前記（１）によって、ペーパー切断刃をロールペーパーホルダー本体に形成された支持台あるいはロールペーパーホルダー本体に設けられたロールペーパー押えに取付けるだけでよいので、構造が簡単で、製造が楽にでき、容易に実施することができる。
（３）前記（１）により、ペーパー切断刃を取付けるだけで、その他は従来のものと同様でよいので、安価で、短期間に設計変更して、本考案を施すことができる。
（４）請求項２は前記（１）〜（３）と同様な効果が得られるとともに、既存のロールペーパーホルダー本体に取付けて使用することができ、既存のロールペーパーに本考案を施すことができる。
【図面の簡単な説明】
【００１１】
【図１】本考案を実施するための第１の形態の正面図。
【図２】本考案を実施するための第１の形態の側面図。
【図３】図１の３−３線に沿う断面図。
【図４】本考案を実施するための第１の形態のロールペーパーを切断する時の説明図。
【図５】本考案を実施するための第２の形態の正面図。
【図６】本考案を実施するための第２の形態の側面図。
【図７】図５の７−７線に沿う断面図。
【図８】本考案を実施するための第３の形態の正面図。
【図９】本考案を実施するための第３の形態の側面図。
【図１０】図８の１０−１０線に沿う断面図。
【考案を実施するための形態】
【００１２】
以下、図面に示す本考案を実施するための形態により、本考案を詳細に説明する。
【００１３】
図１ないし図４に示す本考案を実施するための第１の形態において、１はトイレ等の壁面２に取付けられて使用される本考案のロールペーパーホルダーで、このロールペーパーホルダー１は中央部を前記壁面２に取付けることができるコ字状のロールペーパーホルダー本体３と、このロールペーパーホルダー本体３と一体形成された上面にロールペーパー等の小物４を置くことができる支持台５と、前記ロールペーパーホルダー本体３の両側片３ａ、３ａの内側にほぼ水平状態より上方へ回動することができるように取付けられたロールペーパー６を着脱可能で、かつ回転可能に支持する一対のロールペーパー支持部材７、７と、前記ロールペーパーホルダー本体３の上部後方に枢支ピン８で枢支された先端部で、前記ロールペーパー６を押し圧固定することができるロールペーパー押え９と、前記支持台５の底面に接着剤や複数本のビスで固定、あるいは着脱可能に取付けられた前記ロールペーパー６を所定量引き出して切断することができ、かつロールペーパー６の切断端部が、該ロールペーパー６の中心位置より下方へ位置できる先端部に形成されたノコ歯状の切断刃１０を有するペーパー切断刃１１とで構成されている。
【００１４】
上記構成のロールペーパーホルダー１は、ロールペーパーホルダー本体３の一対のロールペーパー支持部材７、７の下方より上方へロールペーパー６を押し上げると、該ロールペーパー６の押し上げによって一対のロールペーパー支持部材７、７の先端部が上方へ回動して、ロールペーパー６の中空芯１２部位に一対のロールペーパー支持部材７、７の先端部が位置すると、該一対のロールペーパー支持部材７、７がロールペーパー６の中空芯１２内へ入り込んで、ロールペーパー６を回転可能に支持する。
【００１５】
ロールペーパーホルダー本体３に支持されたロールペーパー６は、ロールペーパー押え９によって押えられているとともに、先端部をロールペーパー６より所定寸法引き出し、図４に示すように上方へ移動させ、引き出されたロールペーパー６をペーパー切断刃１１の切断刃１０部に押し当て、引っ張ることにより切断刃１０部に位置するロールペーパー６を切断することができる。
【００１６】
切断されたロールペーパー６の端部は自重により、図３に示すように下方へ垂れ下がるが、切断端部はロールペーパー６の中心位置より下方へ突出した位置となるため、ロールペーパー６の切断端部がロールペーパー６に接触しないで、離れた状態となる。
【００１７】
このため、次にロールペーパー６を使用する場合には、確実にロールペーパー６の端部をつかんで、引き出して使用することができる。
【００１８】
[考案を実施するための異なる形態]
次に、図５ないし図１０に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１９】
図５ないし図７に示す本考案を実施するための第２の形態において、前記本考案を実施するための第１の形態と主に異なる点は、支持台５の上面に接着剤でペーパー切断刃１１を固定した点で、このように構成したロールペーパーホルダー１Ａにしても、前記本考案を実施するための第１の形態と同様な作用効果が得られる。
【００２０】
図８ないし図１０に示す本考案を実施するための第３の形態において、前記本考案を実施するための第１の形態と主に異なる点は、支持台５のないロールペーパーホルダー本体３Ａと、このロールペーパーホルダー本体３Ａに取付けられたロールペーパー押え９に、該ロールペーパー押え９の先端部寄りの部位より前方上方へ突出するようにペーパー切断刃１１Ａを接着剤等で固定した点で、このようにロールペーパー押え９の先端部寄りの部位より前方上方へ突出するようにペーパー切断刃１１Ａを取付けても、前記本考案を実施するための第１の形態と同様に切断したロールペーパー６の端部をロールペーパー６の中心位置より下方に位置させることができ、同様な効果が得られる。
【００２１】
なお、ペーパー切断刃１１、１１Ａの切断刃１０はロールペーパーを切断するものであるので、先端部が山形状に突出しているノコ歯状の形状で十分で、必要に応じて刃物で形成したものを用いてもよい。
【産業上の利用可能性】
【００２２】
本考案はロールペーパーを切断しながら使用することができるロールペーパーホルダーを製造する産業で利用される。
【符号の説明】
【００２３】
１、１Ａ、１Ｂ：ロールペーパーホルダー、
２：壁面、
３：ロールペーパーホルダー本体、
４：小物、          ５：支持台、  
６：ロールペーパー、    ７：ロールペーパー支持部材、
８：枢支ピン、      ９：ロールペーパー押え、
１０：切断刃、      １１、１１Ａ：ペーパー切断刃、
１２：中空芯。
【図１】
0003171749.tif 000003
【図２】
0003171749.tif 000004
【図３】
0003171749.tif 000005
【図４】
0003171749.tif 000006
【図５】
0003171749.tif 000007
【図６】
0003171749.tif 000008
【図７】
0003171749.tif 000009
【図８】
0003171749.tif 000010
【図９】
0003171749.tif 000011
【図１０】
0003171749.tif 000012
【手続補正書】
【提出日】平成23年9月9日(2011.9.9)
【手続補正１】
【補正対象書類名】実用新案登録請求の範囲
【補正対象項目名】全文
【補正方法】変更
【補正の内容】
【実用新案登録請求の範囲】
【請求項１】
ロールペーパーを回転可能に支持するロールペーパーホルダー本体と、このロールペーパーホルダー本体の上部に形成された支持台あるいはロールペーパーホルダー本体に設けられたロールペーパー押えの、前記ロールペーパーを切断した端部が、該ロールペーパーの中心位置より下方に位置するところで切断することができる位置に取付けられたペーパー切断刃とからなることを特徴とするロールペーパーホルダー。
【請求項２】
ペーパー切断刃はロールペーパーホルダー本体の支持台の底面、上面のいずれか、あるいはロールペーパーホルダー本体に設けられたロールペーパー押えの上面に着脱可能に取付けられていることを特徴とする請求項１記載のロールペーパーホルダー。
【手続補正２】
【補正対象書類名】明細書
【補正対象項目名】全文
【補正方法】変更
【補正の内容】
【考案の詳細な説明】
【技術分野】
【０００１】
本考案は主にトイレットペーパーを適当な長さまで引き出して、カットして使用することができるロールペーパーホルダーに関する。
【背景技術】
【０００２】
従来、この種のロールペーパーホルダーはロールペーパーを回転可能に支持するロールペーパーホルダー本体にロールペーパーを押えるとともに、先端部でロールペーパーを切断することができるロールペーパー押えを設けたり、ロールペーパー押えの先端部より上方で、ロールペーパーを切断することができるロールペーパー切断部を備えたものが考えられている。
【０００３】
しかしながら、前者のロールペーパー押えは、ロールペーパーを切断した後はロールペーパー押えの先端部に押えられた状態で、ロールペーパーの切断部位が位置するので、ロールペーパー押えを上方へ回動させてロールペーパーの端部を持って引き出さなければならないという欠点があった。
【０００４】
また、後者はロールペーパー押えの前方でロールペーパーが切断され、ロールペーパーの切断部がロールペーパー押えの先端部より、前方に位置させることができるが、切断端部のロールペーパーがロールペーパーと接触状態となるため、ロールペーパーの先端部をつかむのが難しく、容易にロールペーパーを引き出すことができずらいという欠点があった。
【先行技術文献】
【特許文献】
【０００５】
【特許文献１】特開２００３−２４２４１号公報
【考案の概要】
【考案が解決しようとする課題】
【０００６】
本考案は以上のような従来の欠点に鑑み、ロールペーパーを切断すると、切断端部のロールペーパーが垂れ下がり、ロールペーパーの中心位置より下方に位置して、次に使用する時に容易にロールペーパーの端部をつかんで、楽に引き出して使用することができるロールペーパーホルダーを提供することを目的としている。
【０００７】
また、本考案は現在使用中のロールペーパーホルダーにも容易に取付けて、本考案を施すことができるロールペーパーホルダーを提供することも、本考案の他の目的としている。
【０００８】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００９】
上記目的を達成するために、本考案はロールペーパーを回転可能に支持するロールペーパーホルダー本体と、このロールペーパーホルダー本体の上部に形成された支持台あるいはロールペーパーホルダー本体に設けられたロールペーパー押えの、前記ロールペーパーを切断した端部が、該ロールペーパーの中心位置より下方に位置するところで切断することができる位置に取付けられたペーパー切断刃とでロールペーパーホルダーを構成している。
【考案の効果】
【００１０】
以上の説明から明らかなように、本考案にあっては次に列挙する効果が得られる。
（１）請求項１により、ロールペーパーホルダー本体に回転可能に支持されているロールペーパーをペーパー切断刃で切断することにより、ロールペーパーの端部をロールペーパーの中心位置より下方へ垂れて位置させることができる。
したがって、従来のようにロールペーパーの切断端部がロールペーパーに接触した状態となり、つかむのが難しくなることなく、容易につかんで引き出して使用することができる。
（２）前記（１）によって、ペーパー切断刃をロールペーパーホルダー本体に形成された支持台あるいはロールペーパーホルダー本体に設けられたロールペーパー押えに取付けるだけでよいので、構造が簡単で、製造が楽にでき、容易に実施することができる。
（３）前記（１）により、ペーパー切断刃を取付けるだけで、その他は従来のものと同様でよいので、安価で、短期間に設計変更して、本考案を施すことができる。
（４）請求項２は前記（１）〜（３）と同様な効果が得られるとともに、既存のロールペーパーホルダー本体に取付けて使用することができ、既存のロールペーパーに本考案を施すことができる。
【図面の簡単な説明】
【００１１】
【図１】本考案を実施するための第１の形態の正面図。
【図２】本考案を実施するための第１の形態の側面図。
【図３】図１の３−３線に沿う断面図。
【図４】本考案を実施するための第１の形態のロールペーパーを切断する時の説明図。
【図５】本考案を実施するための第２の形態の正面図。
【図６】本考案を実施するための第２の形態の側面図。
【図７】図５の７−７線に沿う断面図。
【図８】本考案を実施するための第３の形態の正面図。
【図９】本考案を実施するための第３の形態の側面図。
【図１０】図８の１０−１０線に沿う断面図。
【考案を実施するための形態】
【００１２】
以下、図面に示す本考案を実施するための形態により、本考案を詳細に説明する。
【００１３】
図１ないし図４に示す本考案を実施するための第１の形態において、１はトイレ等の壁面２に取付けられて使用される本考案のロールペーパーホルダーで、このロールペーパーホルダー１は中央部を前記壁面２に取付けることができるコ字状のロールペーパーホルダー本体３と、このロールペーパーホルダー本体３と一体形成された上面にロールペーパー等の小物４を置くことができる支持台５と、前記ロールペーパーホルダー本体３の両側片３ａ、３ａの内側にほぼ水平状態より上方へ回動することができるように取付けられたロールペーパー６を着脱可能で、かつ回転可能に支持する一対のロールペーパー支持部材７、７と、前記ロールペーパーホルダー本体３の上部後方に枢支ピン８で枢支された先端部で、前記ロールペーパー６を押し圧固定することができるロールペーパー押え９と、前記支持台５の底面に接着剤や複数本のビスで固定、あるいは着脱可能に取付けられた前記ロールペーパー６を所定量引き出して切断することができ、かつロールペーパー６の切断端部が、該ロールペーパー６の中心位置より下方へ位置できる先端部に形成されたノコ歯状の切断刃１０を有するペーパー切断刃１１とで構成されている。
【００１４】
上記構成のロールペーパーホルダー１は、ロールペーパーホルダー本体３の一対のロールペーパー支持部材７、７の下方より上方へロールペーパー６を押し上げると、該ロールペーパー６の押し上げによって一対のロールペーパー支持部材７、７の先端部が上方へ回動して、ロールペーパー６の中空芯１２部位に一対のロールペーパー支持部材７、７の先端部が位置すると、該一対のロールペーパー支持部材７、７がロールペーパー６の中空芯１２内へ入り込んで、ロールペーパー６を回転可能に支持する。
【００１５】
ロールペーパーホルダー本体３に支持されたロールペーパー６は、ロールペーパー押え９によって押えられているとともに、先端部をロールペーパー６より所定寸法引き出し、図４に示すように上方へ移動させ、引き出されたロールペーパー６をペーパー切断刃１１の切断刃１０部に押し当て、引っ張ることにより切断刃１０部に位置するロールペーパー６を切断することができる。
【００１６】
切断されたロールペーパー６の端部は自重により、図３に示すように下方へ垂れ下がるが、切断端部はロールペーパー６の中心位置より下方へ突出した位置となるため、ロールペーパー６の切断端部がロールペーパー６に接触しないで、離れた状態となる。
【００１７】
このため、次にロールペーパー６を使用する場合には、確実にロールペーパー６の端部をつかんで、引き出して使用することができる。
【００１８】
[考案を実施するための異なる形態]
次に、図５ないし図１０に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１９】
図５ないし図７に示す本考案を実施するための第２の形態において、前記本考案を実施するための第１の形態と主に異なる点は、支持台５の上面に接着剤でペーパー切断刃１１を固定した点で、このように構成したロールペーパーホルダー１Ａにしても、前記本考案を実施するための第１の形態と同様な作用効果が得られる。
【００２０】
図８ないし図１０に示す本考案を実施するための第３の形態において、前記本考案を実施するための第１の形態と主に異なる点は、支持台５のないロールペーパーホルダー本体３Ａと、このロールペーパーホルダー本体３Ａに取付けられたロールペーパー押え９に、該ロールペーパー押え９の先端部寄りの部位より前方上方へ突出するようにペーパー切断刃１１Ａを接着剤等で固定した点で、このようにロールペーパー押え９の先端部寄りの部位より前方上方へ突出するようにペーパー切断刃１１Ａを取付けても、前記本考案を実施するための第１の形態と同様に切断したロールペーパー６の端部をロールペーパー６の中心位置より下方に位置させることができ、同様な効果が得られる。
【００２１】
なお、ペーパー切断刃１１、１１Ａの切断刃１０はロールペーパーを切断するものであるので、先端部が山形状に突出しているノコ歯状の形状で十分で、必要に応じて刃物で形成したものを用いてもよい。
【産業上の利用可能性】
【００２２】
本考案はロールペーパーを切断しながら使用することができるロールペーパーホルダーを製造する産業で利用される。
【符号の説明】
【００２３】
１、１Ａ、１Ｂ：ロールペーパーホルダー、
２：壁面、
３：ロールペーパーホルダー本体、
４：小物、          ５：支持台、  
６：ロールペーパー、    ７：ロールペーパー支持部材、
８：枢支ピン、      ９：ロールペーパー押え、
１０：切断刃、      １１、１１Ａ：ペーパー切断刃、
１２：中空芯。